(57)【要約】      （修正有）【課題】アクセサリーの駆動を制御するデータを外部メモリからカメラに送信し、最新なデータによりカメラシステムの駆動制御を行う光学機器を提供する。【解決手段】アクセサリーを装着された際に、アクセサリーの固有識別情報を通信により取得し、外部メモリに記録し、外部メモリは光学機器から取り外し、ネットワーク機器に接続して、アクセサリーの第１の制御部の制御に使用される第２の制御情報をダウンロードし記録することが可能であり、第２の制御情報をダウンロードする際には、ネットワーク機器は固有識別情報により必要な第２の制御情報を判別してダウンロードを行い、第２の制御情報が記録されている外部メモリが装着された光学機器に、アクセサリーが装着された時に、第２の制御部は、外部メモリに記録されている第２の制御情報にてアクセサリーを制御する。【選択図】図３
2016015056.tif 000002
【特許請求の範囲】
【請求項１】
第１の制御部と前記第１の制御部の制御に使用される第１の制御情報を格納する第１のメモリとを有するアクセサリーを着脱可能であって、
前記第１の制御部と通信可能な第２の制御部を有し、着脱可能で第２の制御部と通信可能な外部メモリを格納する外部メモリ格納部を有する光学機器であって、
前記光学機器は、前記アクセサリーを装着された際に、前記アクセサリーの固有識別情報を通信により取得し、前記外部メモリに記録し、
前記外部メモリは前記光学機器から取り外し、ネットワーク機器に接続して、前記アクセサリーの前記第１の制御部の制御に使用される第２の制御情報をダウンロードし記録することが可能であり、
前記第２の制御情報をダウンロードする際には、前記ネットワーク機器は前記固有識別情報により必要な前記第２の制御情報を判別してダウンロードを行い、
前記第２の制御情報が記録されている前記外部メモリが装着された前記光学機器に、前記アクセサリーが装着された時に、前記第２の制御部は、外部メモリに記録されている前記第２の制御情報にて前記アクセサリーを制御することを特徴とする光学機器。
【請求項２】
前記外部メモリをネットワーク機器に接続して、前記アクセサリーの第２の制御情報をダウンロードする際には、ユーザーの意図する制御情報をダウンロードすることが可能なことを特徴とする請求項１に記載の光学機器
【請求項３】
前記固有識別情報とは、第１のメモリに格納されている制御情報のバージョン情報や、アクセサリーの個体を示す情報（製造番号）、アクセサリーの種類及び性能を示す情報であることを特徴とする請求項１に記載の光学機器。
【請求項４】
前記第１のメモリ、及び前記第２のメモリは、不揮発性メモリ単体や、ＣＰＵ内部に組み込まれている不揮発性メモリ領域であることを特徴とする請求項１に記載の光学機器。
【請求項５】
前記第３のメモリはリムーバルメモリであることを特徴とする請求項１に記載の光学機器。
【請求項６】
前記第３のメモリに記録されている前記固有識別情報、及び第２の制御情報は、前記光学機器からの画像データ初期化命令では消去されず、前記光学機器からの全データ初期化命令、及びＰＣの情報機器からの初期化により消去されることを特徴とする請求項１に記載の光学機器。
【発明の詳細な説明】
【技術分野】
【０００１】
本発明は、一般に、制御情報を新たに取得する光学機器、特にアクセサリーの駆動制御に関するデータの取得及び格納方法に関するものである。
【背景技術】
【０００２】
従来から、アクセサリー（レンズユニットやストロボユニット等）、及び外部メモリ  （不揮発性メモリ）が着脱可能なカメラとして、レンズ交換式カメラは知られている。レンズ交換可能なカメラシステム若しくはアクセサリーを着脱自在なカメラシステムに置いては、交換レンズ若しくはカメラアクセサリーからの情報に基づき、カメラ本体が種々の演算や制御を行うのが一般的である。
【０００３】
例えば、オートフォーカス動作や露出動作に必要な各種データをレンズ内のＲＯＭに記憶させておき、カメラ本体側でその動作を行う際に交換レンズと通信を行って、そのデータを読み出すようにした技術が開示されている。
【０００４】
また、特許文献１には、レンズ内に蓄積されているデータの全てを、交換レンズの装着時または電源投入時に読み出して、カメラ本体内の記憶手段に記憶するようにした技術が開示されている。
【０００５】
更に、特許文献２には、一度装着されたレンズのデータをカメラ内に記憶し、再度装着した際には、カメラ内に記憶されているデータを使用して、レンズを制御する技術が開示されている。
【先行技術文献】
【特許文献】
【０００６】
【特許文献１】特許第２８６８２２６号明細書
【特許文献２】特開２００７−１２９５６９号公報
【発明の概要】
【発明が解決しようとする課題】
【０００７】
しかしながら、上述した特許文献１に記載の技術では、カメラ本体と交換レンズとのデータ通信が、各動作に於いてタイムラグとなり、カメラシステムとしての高速性を損なってしまうという課題を有している。
【０００８】
特許文献２の記載技術では、カメラ内部に持つメモリ領域にも限界があり、多くのアクセサリーのデータを保持できない可能性もある。更にアクセサリー内部に既存するデータを記憶するので、新しい方式に対応したカメラに装着しても、レンズ内のデータが対応していないため、旧式の方式により駆動せざるを得なく、高精度な制御を行う事が出来ない。また、アクセサリー内部のメモリ領域にも限りがあり、より高精度な制御をするための大きなデータを格納することができない可能性がある。
【０００９】
そこで、本発明の目的は、光学機器本体と、本体に着脱可能なアクセサリーと、本体に着脱可能な外部メモリからなり、アクセサリーの駆動を制御するデータをカメラにスムーズに送信し、最新なデータによりカメラシステムの駆動制御を行うことである。
【課題を解決するための手段】
【００１０】
上記目的を達成するために、本発明に係る光学機器の構成は、第１の制御部と前記第１の制御部の制御に使用される第１の制御情報を格納する第１のメモリとを有するアクセサリーを着脱可能であって、前記第１の制御部と通信可能な第２の制御部を有し、着脱可能で第２の制御部と通信可能な外部メモリを格納する外部メモリ格納部を有する光学機器であって、前記光学機器は、前記アクセサリーを装着された際に、前記アクセサリーの固有識別情報を通信により取得し、前記外部メモリに記録し、前記外部メモリは前記光学機器から取り外し、ネットワーク機器に接続して、前記アクセサリーの前記第１の制御部の制御に使用される第２の制御情報をダウンロードし記録することが可能であり、前記第２の制御情報をダウンロードする際には、前記ネットワーク機器は前記固有識別情報により必要な前記第２の制御情報を判別してダウンロードを行い、前記第２の制御情報が記録されている前記外部メモリが装着された前記光学機器に、前記アクセサリーが装着された時に、前記第２の制御部は、外部メモリに記録されている前記第２の制御情報にて前記アクセサリーを制御することを特徴とする。
【発明の効果】
【００１１】
本発明によれば、光学機器本体と、本体に着脱可能なアクセサリーと、本体に着脱可能なメモリからなる光学機器システムにおいて、アクセサリーを駆動するのに最適なデータを、光学機器本体にスムーズに送信することが可能となる。そのため、より高精度なアクセサリーの駆動制御が可能となり、より高精細な画像が記録できる光学機器システムを提供することができる。
【図面の簡単な説明】
【００１２】
【図１】レンズ交換式デジタルカメラの構成図
【図２−１】メモリに格納されている情報を示すブロック図
【図２−２】メモリに格納されている情報を示すブロック図
【図２−３】メモリに格納されている情報を示すブロック図
【図３】フローチャート
【発明を実施するための形態】
【００１３】
以下、本発明を実施するための形態を図面に基づいて説明する。
【００１４】
（実施例１）
図１を参照して、本発明の第１の実施例による、光学機器システムについて説明する。図１はレンズ交換式デジタルカメラ１００の構成を示すブロック図である。レンズ交換式デジタルカメラ１００は、レンズ側ユニットであるレンズユニット１０１と、レンズユニット１０１が着脱可能なカメラ側ユニットであるカメラ本体１０２とを有する。レンズユニット１０１は、入射光を収束、結像する光学系と、光学系を制御する制御系と、接続部とを有する。
【００１５】
光学系は、第一の固定レンズ１０３、変倍レンズ１０４、絞り１０５、第二の固定レンズ１０７、フォーカスレンズ１０８を有する。フォーカスレンズ１０８はピント調節と変倍によるピント位置の補正を行う。レンズユニット１０１へ入射した光は光学系を通り、光電変換を行う撮像素子１１８上で結像される。
【００１６】
制御系は、レンズシステムコントローラ１１６、第一のフラッシュメモリ１１７を有する。第一のフラッシュメモリ１１７はレンズシステムコントローラの内部に組み込まれたメモリ領域であっても良い。第一のフラッシュメモリ１１７にはレンズユニット１０１のすべてのアクチュエータを制御し、カメラユニット１０２と通信する制御プログラムが格納されている。更にレンズユニット１０１の光学データが記録されている。
【００１７】
制御系は、ズームレンズアクチュエータ１０９、フォーカスレンズアクチュエータ１１１、アイリスアクチュエータ１１０、第一、第二のレンズドライバ回路１１３，１１５、アイリスドライバ回路１１４で構成されている。ズームレンズアクチュエータ１０９は変倍レンズ１０４を駆動し、アイリスアクチュエータ１１０は絞り１０５を駆動し、更にフォーカスレンズアクチュエータ１１１はフォーカスレンズ１０８を駆動する。第一のレンズドライバ回路１１３はズームレンズアクチュエータ１０９に駆動信号を出力し、第二のレンズドライバ回路１１５はフォーカスレンズアクチュエータ１１１に駆動信号を出力する。
【００１８】
更に、アイリスドライバ回路１１４はアイリスアクチュエータ１１０へ駆動信号を出力する。レンズシステムコントローラ１１６は、前記各ドライバ回路への制御信号の出力制御を始めとする各種制御（システム制御）を行う。詳細には、カメラシステムコントローラ１２５は、レンズシステムコントローラとの通信により、レンズユニット１０１に関する光学データ、及び現在の状態等のレンズユニット１０１に関するデータを取得する。
【００１９】
カメラシステムコントローラ１２５は、通信によって取得したデータと、図示していないフォーカスセンサ等のセンサー出力から、レンズユニット１０１の駆動に必要な駆動データを通信により送信する。
【００２０】
レンズシステムコントローラ１１６は、カメラ本体１０２との通信で得られたズーム方向（望遠または広角）データと変倍速度データ、及びフォーカス評価値から、変倍動作及びフォーカス動作のための制御データを生成する。
【００２１】
それから、レンズシステムコントローラ１１６は、生成した制御データを制御信号として第一及び第二のレンズドライバ回路１１３、１１５に出力し、変倍レンズ１０４、フォーカスレンズ１０８を駆動させる。
【００２２】
更に、レンズシステムコントローラ１１６は、カメラ本体１０２との通信で得られた露出評価値から絞り１０５による露出制御データを生成し、制御信号としてアイリスドライバ回路１１４に出力し絞り１０５を駆動させる。以上が詳細な駆動に関する説明である。第一のフラッシュメモリ１１７は、フォーカス制御・変倍制御の各種パラメータ、レンズユニット１０１に関する光学データ、その他駆動に関するデータ、及び調整データを格納する。
【００２３】
また、第一のフラッシュメモリ１１７は、レンズシステムコントローラ１１６にて動作する制御プログラムも格納する。第一のフラッシュメモリ１１７は、レンズシステムコントローラ１１６とバス接続されていて、必要に応じてレンズシステムコントローラ１１６から読み出される。
【００２４】
更に、第一のフラッシュメモリ１１７は、レンズユニット１０１を識別する固有識別情報も格納し、必要に応じて読みだされる。固有識別情報とは、レンズユニットの種類を示すＩＤ、製造番号、前記制御プログラムのバージョン、前記光学データのバージョン、前記その他駆動に関するデータのバージョン等である。
【００２５】
レンズユニット１０１とカメラユニット１０２の接続部は、レンズ側接点１２７とカメラ側接点１２８によって接続される。接点１２７、１２８の通信端子を介してレンズシステムコントローラ１１６は、後述するカメラシステムコントローラ１２５と通信を行う。また、接点１２７、１２８の電源端子を介してカメラ本体１０２からレンズユニット１０１へ電源供給も行う。
【００２６】
カメラ本体１０２は、撮像系と、制御系と、接続部と、表示部とを有する。撮像系は、撮像素子１１８、アナログフロントエンド（ＡＦＥ）回路１１９、カメラ信号処理回路１２１、ＯＳＤ回路１２２、ビデオ信号処理回路１２３を有する。レンズユニット１０１の光学系を通った光は撮像素子１１８上で結像し、光電変換される。変換された電気信号は、タイミングジェネレータ１２０の所定のタイミングで読み出され、ＡＦＥ回路１１９でサンプリング、ゲイン制御、Ａ／Ｄ変換の各処理を行いデジタル信号に変換される。
【００２７】
カメラ信号処理回路１２１は、ＡＦＥ回路１１９が出力したデジタル信号を映像信号に変換し、露出制御に必要な露出評価値、ホワイトバランス制御に必要な色差評価値、さらにフォーカス制御に必要なフォーカス評価値を生成する。
【００２８】
また、カメラ信号処理回路１２１は、カメラシステムコントローラ１２５からの要求に応じて、ホワイトバランス、カラーバランス、ガンマをはじめとする画質設定制御を行う。
【００２９】
ＯＳＤ回路１２２はカメラ信号処理回路１２１が出力した映像信号に所定の文字やグラフィック情報を合成し、出力する。ビデオ信号処理回路１２３はＯＳＤ回路１２２が出力した映像信号を所定フォーマットの映像信号にし、外部出力する。
【００３０】
制御系は、レンズユニット検出回路１０４、第二のフラッシュメモリ１２４、カメラシステムコントローラ１２５、操作キー検知回路１２６、外部通信回路１２９、外部メモリ通信部１３１、外部メモリ１３２、入力部１３３を有する。
【００３１】
アクセサリー検出回路１３４は、レンズユニット１０１がカメラ本体１０２に装着されたことを検出し、その情報をカメラシステムコントローラ１２５へ出力する。
【００３２】
第２のフラッシュメモリ１２４は、露出、ホワイトバランス、画質制御の各種パラメータ、調整データ、カメラユニット１０２を制御する制御プログラム、制御データ、及びカメラユニット１０２を識別する識別データを格納する不揮発性メモリである。
【００３３】
更にレンズユニット１０１と通信することにより得られる、前記固有識別情報、レンズ制御データ、レンズ調整データ、更にレンズシステムコントローラ１１６を制御するレンズ制御プログラム等のレンズユニット１０１に関するデータも格納が可能である。
【００３４】
第２のフラッシュメモリ１２４は、カメラシステムコントローラ１２５の内部のフラッシュメモリ領域であっても良い。
【００３５】
操作キー検知回路１２６は、ユーザー操作による入力部１３３のキー状態を検知し、カメラシステムコントローラ１２５に通知する。カメラシステムコントローラ１２５は、カメラ信号処理回路１２１と第２のフラッシュメモリ１２４とバス接続されている。カメラシステムコントローラ１２５は、カメラ信号処理回路１２１が生成した露出、色差、フォーカスの各評価値の取得や、第２のフラッシュメモリ１２４に格納されている各種パラメータを読み出すことができる。
【００３６】
また、カメラシステムコントローラ１２５は、カメラ本体１０２の各種キースイッチの読み取りを操作キー検知回路１２６にて行い、その結果に従い制御内容を切り替える。外部通信回路１２９は外部のＰＣと接続してデータを送受信する。
【００３７】
外部メモリ１３２とはカードやスティック状のリムーバブルメモリであって、着脱可能に外部メモリ格納部１３５に挿入される。外部メモリ１３２は外部メモリ通信部１３１を介してカメラシステムコントローラ１２５に接続される。外部メモリ１３２は、撮影された画像データ、カメラユニット１０２を制御する制御プログラム、及びレンズユニット１０１を制御する制御プログラム、前記固有識別情報、レンズ制御データ、レンズ調整データ等の各種データを格納可能である。
【００３８】
外部メモリ１３２に格納されているデータは、カメラシステムコントロール１２５によって読みだし、及び書き込みが行われる。
【００３９】
入力部１３３は、ユーザーが各種の情報を入力するための部位である。表示部は、液晶ディスプレイ１３０からなり、撮像画像の他、各種メッセージを表示する。以上がカメラ・レンズユニットの構成の説明である。
【００４０】
以下、外部メモリ１３２を介してレンズユニット１０１に関するレンズデータを取得し、そのデータを利用してレンズユニット１０１を制御し撮像するカメラレンズシステムについて説明する。図２−１〜図２−３は第１のフラッシュメモリ１１７、及び外部メモリ１３２に格納されている情報を示すブロック図である。図３−１は、カメラユニット１０２が外部メモリ内のアクセサリーデータを使用してレンズユニット１０１の制御を行う方法を示したフローチャートである。
【００４１】
初期の第１のフラッシュメモリ１１７、及び外部メモリ１３２の内部データは図２−１とする。図２−１について説明する。第１のフラッシュメモリ１１７にはレンズＡを制御するアクセサリーデータが記録されており、外部メモリ１３２には既に撮影されている画像データ、及び既に装着されたアクセサリー固有識別データが記録されている。ここで図３のフローチャートに戻り説明をする。第２のフラッシュメモリ１２４にはカメラＡを制御する制御プログラム、及びデータが記録されている。
【００４２】
外部メモリ１３２には画像データ、これまでに記録されたアクセサリー固有識別データが記録されている。更にアクセサリーの制御プログラムが格納される領域もある。以上が図２−１の説明である。ここで図３−１に戻ってフローを説明する。
【００４３】
カメラユニット１０２に外部メモリを挿入する（Ｓ１０１）。次にレンズユニット１０１をカメラユニット１０２に装着し、アクセサリー検出回路１３４によりレンズユニット１０１の装着を確認する（Ｓ１０２）。レンズユニット１０１が装着されたら、レンズシステムコントローラ１１６とカメラシステムコントローラ１２５の通信を開始する。そして、第１のフラッシュメモリに記載されていたアクセサリー固有識別データをレンズシステムコントローラ１１６は通信によりカメラシステムコントローラ１２５に送信する（Ｓ１０３）。
【００４４】
カメラシステムコントローラ１２５は外部メモリ１３２に記録されたアクセサリー固有識別データを読み出し、Ｓ１０３で送信された固有識別データと比較を行う（Ｓ１０４）。送信されたアクセサリー固有識別データが、既に記録されているアクセサリー固有識別データより最新のものであれば、外部メモリ１３２に記載されたデータを更新する。もし記録されていない場合は新規に記録する（Ｓ１０５）。
【００４５】
外部メモリ１３２のアクセサリー固有識別データ内にレンズＡのアクセサリー固有識別データが格納された。ここで各メモリの記録データは図２−２となる。
【００４６】
次にカメラシステムコントローラ１２５は、外部メモリ１３２にアクセサリーデータが記録されていないので、カメラ−レンズ通信により、第１のフラッシュメモリ１１７に記録されているレンズユニット１０１に関するアクセサリーデータを取得する。取得後そのデータと、各種センサー等の出力値より演算を行いアクセサリーを駆動し撮像を行う（Ｓ１０７）。
【００４７】
次に撮影等が終わって、外部メモリ１３２をＰＣ等のネットワーク機器に接続する（Ｓ１０８）。この時に外部メモリ１３２に記録されている画像データの取り出しと同時に、特定のサーバーにアクセスして、アクセサリーデータ更新チェックを行う。その際に、ＰＣはサーバー内のアクセサリーデータのバージョンと、外部メモリ１３２に記録されたアクセサリー固有識別データに記録されたアクセサリーデータのバージョンを比較する（Ｓ１０９）。その結果、必要なプログラムをダウンロードする（Ｓ１１０）。
【００４８】
ダウンロード後の各メモリの記録データは図２−３となる。図２−３から分かるように、レンズＤとストロボＢのデータバージョンはサーバーデータと等しいため、ダウンロードは行わないしかし、レンズＡとレンズＣに関しては、サーバーのデータバージョンの方が新しい為よりレンズＡとレンズＤのアクセサリーデータを外部メモリ１３２にダウンロードする。この後、外部メモリ１３２をカメラユニット１０２に挿入し（Ｓ１０１）、レンズユニット１０１（レンズＡ）を装着する（Ｓ１０２）。この後は、前記と同様にＳ１０２→Ｓ１０４までステップが進む。
【００４９】
ステップＳ１０４において、装着されたレンズユニット１０１（レンズＡ）に関しては最新のアクセサリー固有識別データが記録されている為、ステップ（Ｓ１１１）に進む。ステップＳ１１１において、カメラシステムコントローラ１２５は、外部メモリ１３２にレンズユニット１０１（レンズＡ）に関するアクセサリーデータが記録されているかどうかを判別する（Ｓ１１１）。
【００５０】
この時に装着されているレンズユニット１０１に関するアクセサリーデータが無い場合は、ステップＳ１０７に進み、カメラ−レンズ通信により、第１のフラッシュメモリ１１７に記録されているレンズユニット１０１に関するアクセサリーデータを取得する。
【００５１】
外部メモリ１３２にアクセサリーデータが記録されている場合は、カメラシステムコントローラ１２５は、外部メモリ１３２よりアクセサリーデータを取得する（Ｓ１１２）。取得後そのデータと、各種センサー等の出力値より演算を行いアクセサリーを駆動し撮像を行う（Ｓ１０７）。この後は前記したＳ１０８以降の作業を繰り返す。
【００５２】
更に、外部メモリ１３２の画像データをカメラ本体１０２より消去する際には、アクセサリー固有識別データ領域とアクセサリーデータは消去されず、画像データ領域のみ消去される。アクセサリー固有識別データとアクセサリーデータを消去する場合には、カメラ本体１０２より全データ初期化を行うか、ＰＣ等の情報機器より消去する。
【００５３】
以上、本発明の好ましい実施形態について説明したが、本発明はこれらの実施形態に限定されず、その要旨の範囲内で種々の変形及び変更が可能である。
【符号の説明】
【００５４】
１００  カメラ、１０１  レンズユニット、１０２  カメラユニット、
１１６  レンズシステムコントローラ、１１７  第一のフラッシュメモリ、
１２４  第二のフラッシュメモリ、１２５  カメラシステムコントローラ、
１２９  外部通信回路、１３２  外部メモリ、１３４  アクセサリー検出回路
【図１】
2016015056.tif 000003
【図２−１】
2016015056.tif 000004
【図２−２】
2016015056.tif 000005
【図２−３】
2016015056.tif 000006
【図３】
2016015056.tif 000007